(57)【要約】動作状態を検知する調整要素（３）、及び音響信号送信器及び／又は光信号送信器及び／又は表示装置を備える信号発信機器を有する、調理容器の温度、圧力及び空気湿度からなる群から選択される少なくとも一つの調理容器の動作状態を決定し、表示又はモニターする機器。動作状態の実際値が表示機器の補助によって表示でき、動作状態の設定値に到達したときに適切な信号を出力できる。調整要素（３）はコード化構造体（３４）を有する旋回可能な測定ディスク（３１）を備え、測定ディスク（３１）の旋回経路を感知するセンサー装置（４，４’）が設けられている。【選択図】図２
2010530261.tif 000002
【特許請求の範囲】
【請求項１】
動作状態を検知する調整要素（３）、
制御手段、及び
音響信号送信器及び／又は光信号送信器及び／又はそれによって動作状態の実際値を表示可能であり、前記制御手段の補助によって、動作状態の設定値に到達したときに適切な信号を出力することができる表示装置を備える信号発信機器を有し、
調理容器の温度（Ｔ）、圧力（Ｐ）、及び空気湿度（Ｈ）からなる群から選択される少なくとも一つの調理容器の動作状態を決定し、表示又はモニターする機器であって、
前記調整要素（３）がコード化構造体（３４）を有する旋回可能な測定ディスク（３１）を備え、かつ、センサー装置（４，４’）が前記測定ディスク（３１）の旋回通路を感知するために設けられていることを特徴とする機器。
【請求項２】
前記機器が、調理容器の蓋（２）と組み合わせることができ、前記調整要素（３）が前記蓋の開口部（３８）を通って前記蓋の空間（３７）に突き出していることを特徴とする、請求項１に記載の機器。
【請求項３】
前記開口部（３８）が、円形構造からなり、５ｍｍ〜５０ｍｍの範囲の直径を有することを特徴とする、請求項２に記載の機器。
【請求項４】
前記機器が、コード化構造体（１３４）を有する設定ディスク（３２）、及び動作状態の設定値の設定を感知するセンサー装置（４，４”）を有し、前記センサー装置（４，４”）及び設定ディスク（３２）を、互いに対して動かすことができ、かつ前記測定ディスク（３１）及び設定ディスク（３２）を互いに対して動かすことができることを特徴とする、請求項１〜３のいずれか１項に記載の機器。
【請求項５】
前記コード化構造体（３４，１３４）が、アナログ構造又はデジタル構造を有し、前記センサー装置（４，４’、４”）によってこれらの構造を感知可能としたことを特徴とする、請求項１〜４のいずれか１項に記載の機器。
【請求項６】
前記機器がさらに、入力装置（６）を備え、前記入力装置（６）が前記センサー装置（４，４’、４”）に恒久的に接続されていることを特徴とする、請求項１〜５のいずれか１項に記載の機器。
【請求項７】
前記入力装置が、前記蓋の取っ手（２）に連結できるように、前記入力装置が測定ディスク（３１）及び設定ディスク（３２）を介して接続できることを特徴とする、請求項６に記載の機器。
【請求項８】
前記入力装置が、前記測定ディスク（３１）及び設定ディスク（３２）を介して前記蓋の取っ手（２）に恒久的に接続できることを特徴とする、請求項６に記載の機器。
【請求項９】
前記入力装置（６）が、少なくとも入力キー（６１）及び表示パネル（６２）を備えることを特徴とする、請求項６〜８のいずれか１項に記載の機器。
【請求項１０】
前記制御手段が、その補助によって、前記調理容器に作用する加熱機器の受信器に無線で送信できる制御信号を生成できる送信器を備えることを特徴とする、請求項１〜９のいずれか１項に記載の機器。
【請求項１１】
制御手段が、到達すべき動作状態の設定値をモニターする第１段階で用いられ、信号発信機器が、設定値に到達したときに適切な信号を出力する、温度、圧力及び空気湿度からなる群から選択される少なくとも一つの動作状態をモニターする方法であって、
前記第１段階に続く第２段階で、上限値及び／又は下限値が前記制御手段によってモニターされ、かつ前記上限値を超過したとき及び／又は前記下限値を下回ったときに前記信号発信機器がさらに信号を出力することを特徴とする方法。
【発明の詳細な説明】
【技術分野】
【０００１】
本発明は、請求項１の前文の要件に従う調理容器の動作状態を表示する機器に関する。
【背景技術】
【０００２】
調理容器の動作状態を表示する機器は、昔から知られている。
【０００３】
例えば、特許文献１は、そのような機器を開示している。この機器は調理容器の温度及び圧力をモニターするために用いることができる。この場合、調理容器の蓋には適切な測定機器が設けられる。ユーザは表示装置上の動作状態を読み取ることができる。測定は光のバリアによって検知される指針（ポインター）によって行われる。この場合、光のバリアはモニターされるディスプレイの位置に設定でき、指針が適当な位置にあるときに指針を認識する。このように、単一の動作状態のみ、つまり、例えば、特定の温度を、モニター及び／又は表示することができる。さらに、この機器は特定の期間に渡る動作状態の変化を認識することはできず；従って、例えば、調理器の制御エラーを認識できない。
【先行技術文献】
【特許文献】
【０００４】
【特許文献１】ＥＰ０３６４６８４
【発明の概要】
【０００５】
この先行技術から出発して、本発明の目的は、主な（prevailing）動作状態を連続的に表示できる動作状態表示機器を特定することである。さらに、本発明の動作状態表示機器は調理器の制御のエラー状態を認識する。
【０００６】
この目的は特許請求の範囲の請求項１の要件を備える機器によって達成される。本発明の有利な実施形態は従属請求項において特定される。
【０００７】
従って、調理容器の温度、圧力又は空気湿度から選択される、少なくとも一つの動作状態を決定し、表示又はモニターする機器は、動作状態を検知する調整要素、及び音響信号送信器及び／又は光学信号送信器及び／又は表示装置を有する信号発信機器を備える。動作状態の実際値が表示装置の補助によって表示でき、動作状態の設定値に到達したときに適切な信号を出力できる。調整要素は、コード化構造体を有する旋回可能な測定ディスクを備え、測定ディスクの旋回通路を感知するためのセンサー装置が設けられている。
【０００８】
多くの異なる動作状態がコード化構造体に基づいてモニターされ表示されるので、本発明の機器は特に有利である。これは、特定の又は所望の間隔で測定された動作状態を、機器によって決定し、表示又はモニターできることを意味する。
【０００９】
好ましい実施形態では、この機器は調理容器の蓋と組み合わせることができ、調整要素は蓋の開口部を通って蓋の空間に突き出ている。
【００１０】
さらに有利な実施形態は、従属請求項において特徴付けられている。
【図面の簡単な説明】
【００１１】
【図１】発明の第１の例示的実施形態による動作状態表示機器を備える調理容器の蓋の図である。
【図２】図１の蓋の断面図である。
【図３】発明の第２の例示的実施形態による動作状態表示機器を備える調理容器の蓋の図である。
【図４】図３の蓋の断面図である。
【図５】本発明による動作状態表示機器の第１の位置における設定ディスク及び測定ディスクの概略図である。
【図６】図５の第２の位置における設定ディスク及び測定ディスクの概略図である。
【図７】発明の動作状態表示機器の表示ディスクの概略図である。
【発明を実施するための形態】
【００１２】
図面の補助により本発明をより詳細に説明する。
図１は例えば、第１の例示的実施形態による蓋の取っ手２及び入力装置６を有する、鍋又は加圧調理器等の調理容器の蓋の図である。動作状態表示機器とも呼ばれる、発明の調理容器内の動作状態を表示する機器は、蓋の取っ手２に一体化されている。
【００１３】
図２は第１の例示的実施形態の断面の説明図である。第１の例示的実施形態による発明の動作状態表示機器は、少なくとも一つの測定装置３、センサー装置４、ディスプレイ５及び入力装置６を実質的に備える。
【００１４】
測定装置３は測定ディスク３１及び設定ディスク３２を備え、両者は円形状であることが好ましく、互いに同心円状に配置されている。ここで、設定ディスク３２は固定されており、測定装置３１は回転できるように配置されている。従って、測定ディスク３１は設定ディスク３２に対して動かすことができる。
【００１５】
この例示的実施形態では、設定ディスク３２は蓋の取っ手２に恒久的に接続され、測定ディスク３１は旋回軸３３上に配置される。測定ディスク３１はこの場合、設定ディスク３２の下に配置される。同じ水平面（高さ）で又は設定ディスク３２の上で同心の配置も同様に可能である。
【００１６】
軸３３は測定された動作状態による様々な調整要素による旋回角度によって旋回又は回転できる。この場合、調整要素は開口部３８を通って蓋空間３７に突き出ている。この場合の動作状態は軸３３の旋回角度の入力変量として働く。軸３３は通常は０°〜１８０°の角度の旋回範囲で旋回される。他の旋回範囲、例えば、より狭い範囲であってもよい。従って、旋回角度は測定された動作状態を示している。
【００１７】
温度測定に対しては、蓋空間３７中の調整要素３６としてバイメタルからなる螺旋バネ又はコイルバネを備えることが好ましい。このような螺旋バネ又はコイルバネは、測定された動作状態に従って適切な旋回角度とするのに特に好適である。このような調整要素は、従来の温度計から公知なので、ここでさらに説明する必要はない。調整要素が平面の調整要素３６として、蓋２中の対応する開口部３８に収容されることにより、蓋空間３７中での測定値が直接的にかつより良く保存される。
【００１８】
蓋２の開口部３８は、円形であることが好ましく、５〜５０ｍｍの直径を有している。１０〜３０ｍｍの直径が特に好ましく、この場合、下方の端部（lower  boundary）も１０〜２０ｍｍであり得る。
【００１９】
温度測定のための調整要素３６の代わりに、この参照番号は圧力又は湿度を記録するための円柱形の調整要素を表すこともある。例えば、圧力はチューブバネ又は隔壁によって測定することができる。湿度は機械式湿度計によって検知することが好ましい。
【００２０】
図５及び６によれば、測定ディスク３１の表面及び設定ディスク３２の表面の両者は、異なる円形のリング上に配置されていることが好ましいコード化構造体３４，１３４を有する。センサー装置４によって覆われる旋回角度はコード化構造体３４，１３４によって検知できる。コード化構造体３４，１３４はここで、その表面の測定ディスク３１及び設定ディスク３２と同心円状に配置されている。即ち、コード化構造体３４，１３４は、円形トラック上に規定されている。測定ディスク３１上には、コード化構造体３４が全旋回範囲に渡って設けられており、測定センサー４’とも呼ぶセンサー装置４’の補助によりコード化構造体３４を検知することができる。コード化構造体１３４は同様に設定ディスク３２上に、その旋回範囲と同じ範囲に渡って設けられていることが好ましい。コード化構造体１３４は設定センサー４”とも呼ばれる、センサー装置４”の補助によってモニターされる。
【００２１】
二つのディスク３１，３２が上下に重ねて配置され、ディスク３１，３２の両方に対して同じ測定方法を用いる場合、設定ディスク３２のコード化構造体１３４の円形トラックは測定ディスク３１のコード化構造体３４の円形トラックとは異なる半径を有する。コード化構造体３４，１３４は、後で説明するように、互いに影響しない個別の測定方法が適用される場合に、上下に重ねることができる。
【００２２】
以下では、表示ディスク５は設定ディスク３２の上に配置される。表示ディスク５は、設定される温度又は所望の設定値を表示する目盛り５１を備える。この場合、目盛り５１はユーザが読み取り易いような方法でプリントされているか、又は浮き出させてある。図７は例として、記載された目盛り５１を示す。その他の図面では、見える場合には、目盛りは模式的にのみ描かれている。表示ディスク５にはこの場合、温度設定値データ（例えば、５０℃，６０℃，７０℃，８０℃，９０℃，１００℃）が設けられている。表示ディスク５はまた、動作状態機器に直接組み込まれていてもよい。つまり、別個の表示ディスク５は存在しない。この配置は表示装置と呼ぶこともできる。重要なことは、測定ディスク３１の要素が表示ディスク５を通して、又は、ユーザが入力装置６で動作状態を読み取ることを意図していない場合には、ディスク５を越えて（past）ユーザに見えることである。そして、表示ディスク５はこの目的のために多数の開口部５２〜５５を有している。測定ディスク３１はこれらの開口部５２〜５５を通して見ることができる。測定ディスク３１にプリントされた表示ライン５６は現在の動作状態を開口部５２〜５５を通してユーザに表示する。
【００２３】
センサー装置４、ここでは測定センサー４’及び設定センサー４”は、コード化構造体３４，１３４をスキャンして、センサー装置４と設定ディスク３２又は測定ディスク３１との間の対応する動きを決定し、対応する信号を出力することができる。この信号は電気信号が好ましく；コード化構造体３４，１３４の構成に応じて、アナログ又はデジタル信号となる。信号は測定ディスク３１によって覆われる通路又は設定ディスク３２を介して覆われる通路を表示する。測定ディスク３１によって覆われる通路が、今度は動作状態を示すので、この信号は動作状態を表す。設定ディスク３２を介して設定装置６によって覆われる通路は所望の設定値設定を表示し、それにより信号はここでは設定値を表示する。
【００２４】
センサー装置４は少なくとも光源４１及び光センサー４２を備える。この場合、光源４１は測定ディスク３１上のコード化構造体３４又は設定ディスク３２上のコード化構造体１３４に光信号を送り、光センサー４２がコード化構造体３４，１３４によって反射された光を検知する。
【００２５】
前後に配置された二つのセンサー装置４には通常、デジタル形式のコード化構造体３４，１３４が設けられている。ここで、同じ半径距離で重ねられた二つのセンサー装置４はコード化構造体の、あるデジタル点から次のデジタル点までの距離より大きいか又は小さい角距離を互いに有している。これにより、測定ディスク３１及び／又は設定ディスク３２の旋回方向が認識される。
【００２６】
本例示的実施形態では、センサー装置４は入力装置６に一体化されている。入力装置６は、ラッチ要素６３によって蓋の取っ手の縁（bead）に留め付けられており（clipped）、蓋の取っ手２に対して回転させることができる。これにより、入力装置６は蓋の取っ手２に結合する形で接続することができる。これにより、設定ディスク３１、測定ディスク３２及び調整要素３６が設けられた多数の蓋１を柔軟性をもって使用できるようになる。従って、センサー装置４は後述する設定動作の際、設定ディスク３２及び測定ディスク３１の両方に対して動かすことができるように配置される。これに対し、測定動作の際には測定ディスク３１のみが、設定ディスク３２及びセンサー装置４に対して特定的に（specifically）動く。その構成により、センサー装置４は、動作状態を示す、測定ディスク３１によって覆われた通路を検知し、適切な信号を出力することができる。
【００２７】
従って、センサー装置４は二つの動きを検知しなければならない。これらは設定ディスク３２に対する入力装置６の第１の動きと、入力装置６に対する測定ディスク３１の第２の動きである。従って、センサー装置４は、設定センサーとも呼ばれる第１の動きを検知する第１のセンサーと、測定センサーとも呼ばれる第２の動きを検知するための第２のセンサーを備える。
【００２８】
従って、入力装置６は設定ディスク３２及び測定ディスク３１に渡って旋回又は回転できるように配置される。説明した例示的な実施形態では、入力装置６の旋回運動は初期の動作状態を決定し、所望の動作状態の設定値、即ち、例えば、特定の調理温度を設定する役目を果たす。この目的は、表示ディスク５にプリントされた所望の設定値の範囲までは、目盛り５１に沿って旋回する表示器６０によって果たされる。入力装置６と設定ディスク３２及び測定ディスク３１の相互の関係は図５及び６によってより詳細に説明される。
【００２９】
さらに、入力装置は二つの選択（optional）キー６１と任意の表示パネル６２を備える。表示パネル６２は動作状態を表示するか、又は特定の食材に対する調理温度等の予め決められたパラメーターを表示することができる。さらに、入力装置６は信号送信機、保存手段及び制御手段を備える。制御手段はこの場合、保存手段及び／又はセンサー装置に接続されている。例えば、特定用途向け集積回路（ＡＳＩＣ）は制御手段として使用できる。信号送信機は、ユーザが認識できる、例えば、音響信号又は光信号等の動作状態信号を出力することができる。音響信号が出力される場合、信号送信機はブザーである。光信号はディスプレイ、又は別個の発光ダイオード又は別の表示手段のいずれかを介して出力できる。保存手段は予め決められたパラメーターを保存し、入力装置６に対する必要な制御コードを保存する。
【００３０】
動作状態表示機器は図１〜４に示されるように蓋の取っ手２に一体化することができる。この場合、入力装置６は取っ手の中心軸の周りを旋回できる。図１及び２による入力装置６は取っ手の中心軸に垂直に配置されている。図３及び４に示されている入力装置６は取っ手の中心軸に対して斜めに配置されている。入力装置６が表示パネル及び入力キーを有しない場合、ずっと小さな構成も可能である。例えば、入力装置を動作状態表示機器の周りを回転できるリング形状にすることが考えられる。
【００３１】
このような自立的な（autonomous）動作状態表示機器は多くの異なる調理容器と共に使用することができる。機械手段６３が設定されていない場合、この機器はこの目的のために、例えば、機器６がその補助により調理容器に接続できる磁石を備えることができる。調理容器が非磁性材料から作られている場合、動作状態表示機器を蓋の窪み（trough）の中の調理容器の上に置くこともできる。
【００３２】
（示されていない）別の実施形態では、動作状態表示機器は蓋２に一体化することができる。
【００３３】
図５及び６は測定ディスク３１上のコード化構造体３４及び設定ディスク３２上のコード化構造体１３４のそれぞれの配置を図式的に示す。コード化構造体３４，１３４は最も多様に構成することができる。ただ一つの基準は測定ディスク３１及び／又は設定ディスク３２の旋回がセンサー装置２によって求められる変量を与えることである。この場合、コード化構造体３４，１３４は旋回範囲全体に及んでいなければならい。旋回範囲は動作状態を検知及び／又は測定する調整要素の最大測定通路に対応していることが好ましい。
【００３４】
図５及び６では、コード化構造体３４，１３４は円形リング上に均一な間隔で配置された点３５で示されている。センサー装置４，４’、４”の光源からの光線がある点に当たると、コード化構造体３４，１３４によって反射された光線の強度に変化が生じる。このような変化はセンサーによって検知される。変化の数は通過した点を計数するための制御に用いることができる。この場合、点は、ある点から次の点までの距離が決められた動作状態の変化、例えば、決められた温度変化に対応するように、均一な間隔で配置される。必要に応じて、より高い分解能を有するように、間隔をより細かく分割することができる。コード化構造体３４，１３４のさらなる可能性は、例えば、放射状に延びる異なる細長い切れ目からなる配置である。さらに別の可能性は、例えば、設定ディスク３２又は測定ディスク３１に開口部を設けることである。同様に前記センサーによってそのような開口部を検知することができる。点又は線又は開口部を使用する場合、デジタル測定に言及することもできる。
【００３５】
言い換えれば、コード化構造体３４，１３４が個々の増分に分割され、これらの増分、又は増分の間の間隔が動作状態の決められた変化に対応しているとも言える。
【００３６】
さらに、コード化構造体が全旋回範囲に及ぶ着色された弓形であることもでき、各位置で光線の異なる反射を作り出すように、弓形の着色強度を弓形全体に渡って変化させる。この場合にはアナログ測定についても言及される。
【００３７】
アナログ又はデジタル構造を有する別のパターンも考えられる。説明のために、点３５を異なる色で表示している。図７では、内側の円の点３４及び外側の円の点１３４は、異なる反射率を有しているが、ディスクの色に近い色であるため事実上認識できない。
【００３８】
センサーの補助によって通路を測定する別の可能性も同様にある。例えば、センサーと測定ディスクの間の距離が旋回によって変わるように角度をつけて（angular fashion）測定ディスクを配置することもできる。容量性又は誘導性の近接センサーの使用がここでは好ましい。
【００３９】
第１段階では、ユーザは到達すべき動作状態、例えば、図５では、５０℃の設定値をセットする。ここで、入力装置６は蓋の取っ手２の上に留め付けられている。次いで、入力装置６を、センサー装置４（ここでは測定センサー４’及び設定センサー４”）がコード化構造体が存在しない領域に来るように旋回する。この領域は図５では参照番号３９で示されている。図式的に示されている入力装置６では、この初期位置は位置Ｓ１としている（adopt）。表示器６０が同様に図式的に描かれている。第２段階で、すでに上述したように、設定値の所望の位置の範囲までは、測定ディスク３１に対してではなく、設定ディスク３２に対して入力装置６を旋回する。ユーザは表示器６０及び目盛り５１によって所望の設定値を読み取ることができる。示した例示的実施形態では、設定値は５０℃である。このように、ユーザは入力装置６を初期位置Ｓ１から位置Ｓ２まで旋回させる。これを矢印１００で示す。この旋回によって所望の設定値がセットされ、現在優勢な（prevailing）実際値を保存する。二つのセンサー４’，４”がコード化構造体３４に到達すると、センサー４’、４”は信号を出力し、覆われた通路が検知できる。設定ディスク３２のゼロ点は設定目盛りの最初又は最後の第１番目の測定点３５によって規定される。温度の実際値が、例えば、４０℃に上昇したら、コード化構造体３４を備える測定ディスク３１はコード化構造体１３４を備える設定ディスク３２に対して旋回する。この旋回量は二つのセンサー４’及び４”並びに入力装置６の動きによってそれぞれ規定できる。測定を始める前に、このシステムは温度上昇の勾配を見積もり、速すぎる又は遅すぎる上昇の場合に起こり得るエラーを決定できる。設定センサー４”が最初にコード化構造体１３４を検知し、最初の信号を出力すると測定が始まる。設定ディスク３２に対する測定ディスク３１の旋回のために、測定センサー４’が未だコード化構造体３４を覆う位置にないので、測定センサー４’は未だ信号を出力できない。入力装置６を通る旋回通路は設定センサー４”によって検知される。測定センサー４’がコード化構造体３４に到達すると、測定センサー４’は同様に最初の信号を出力できる。設定センサー４’の最初の信号出力と測定センサー４’の最初の信号出力の間で覆われた旋回通路は動作状態の実際値を示す。
【００４０】
ユーザによって旋回された入力装置６が所望の位置、即ち、所望の設定値に到達すると、入力装置はそれ以上旋回しない。この位置は図５では、設定値位置とも呼ばれる、位置Ｓ２で示されている。位置Ｓ２では、入力装置６の一部である表示器６０によってこのように表示される、設定値が５０℃の目盛りで特定される。すでに述べたように、コード化構造体１３４に渡って入力装置６によって覆われる旋回通路は所望の設定値を示す。覆われた旋回通路は覆われたコード化構造体１３４の増分の数を検知するセンサー４”によって検知される。示された実施例では、入力装置６は３つの測定点３５を通過する。それから得られる設定値はこの場合には制御機器（control）によって保存される。
【００４１】
しかしながら、別の実施形態では、設定値を入力装置６の二つのキー６１によって入力することもできる。このような入力の場合、設定ディスク３２の上にある入力装置を旋回するまでもない。
【００４２】
動作状態の変化は結果として調整要素を介する測定ディスク３１の旋回となる。これは例えば、調理器具の上に置かれた調理容器がコンロによって加熱されていることを意味する。これはバイメタルから作られている調整要素３６の変形を始めさせる。この変形によって、測定ディスク３１の旋回が起きる。この旋回は測定センサー４”によって検知できる。表示手段の構成によって、現在の動作状態が表示ディスクの開口部５２〜５５によって、及び測定ディスク上に配置された表示線５５によって表示されるか、又は動作状態は表示パネルに表示される。別の実施形態では、表示ディスクと表示パネルによる表示を組み合わせることもできる。予め設定した動作状態に到達すると、動作状態表示機器は音響信号又は光信号を出力することが有利である。
【００４３】
例えば、温度が当該動作状態であれば、動作状態に到達した後、所望の動作状態を維持するようにユーザは調理器具の出力を調整することができる。
【００４４】
さらに、動作状態の設定値が動作状態に到達したときに、最初の信号を出力するように制御装置をプログラムすることができる。例えば、動作状態の値が温度上昇であり、上昇し続けるなら、制御機器に規定された限界値を超える場合にさらに信号を出力させることができる。この限界値はここでは、設定値プラス及び／又はマイナス特定量と規定される。例えば、８０℃±１０℃。ここで、信号は従って、７０℃に到達した時及び／又は９０℃で出力される。限界値はより低い限界値、ここでは７０℃、又はより高い限界値、ここでは９０℃とすることもできる。しかしながら、この量は設定値を過ぎたときに、比較的大きな量又は比較的小さな量を許容し、値が設定値より下がったときに、比較的小さい量又は比較的大きい量を許容するようにすることもできる。例えば、８０℃＋１５℃／−１０℃又は８０℃＋１０℃／−１５℃。この場合、温度が上昇する場合（例えば、６５℃から７５℃）及び温度が低下する場合（例えば、７５℃から６５℃）の両方で適切な信号を出力することができる。温度上昇及び温度低下に対する信号は異なっていることが好ましく、それによってユーザが認識できる。
【００４５】
さらに、特定の食品に対し特定の温度（例えば、８０℃）を予め規定し、上記説明に従って対応する限界値を規定するプログラムを提供することもできる。
【００４６】
別の例示的実施形態では、制御機器は調理器の制御機器と交信することができるインターフェースを備え、調理器具の制御機器も同様に一つのそのようなインターフェースを備える。ここで、調理器具の制御は現在の動作状態の関数として作用させることができる。この場合、制御手段はそれによって制御信号を生成できる送信器を備える。この制御信号は調理容器に作用する加熱機器の受信機、例えば、調理器具制御機器に無線で送信される。無線送信方法としては公知のケーブル無しの方法、例えば、赤外線、ブルートゥース又は他の無線リンクが挙げられる。
【００４７】
別の例示的実施形態では、制御機器はさらに、これらのエラーが調理器具の制御機器で認識できるように構成される。エラーとは特定の期間に渡る動作状態の信じ難い変更と定義される。これは例えば、予め決められた時間で最初の動作状態に到達しないことはあり得ない。動作状態が温度なら、予め決められた時間は例えば、食品、調理用レンジの種類並びに容器の種類及び／又はサイズの関数である。このようなエラーは例えば、加熱機器の故障かも知れない。さらに、正しい設定が与えられているならば、検知されるべき状態はコンロの誤った出力又は調理器具の誤った設定かも知れない。水を殆ど使わない調理が行われる場合、水が無いことによって温度上昇が遅くなる。
【符号の説明】
【００４８】
１  蓋
２  蓋の取っ手
３  測定装置
４  センサー装置
５  ディスプレイ、表示装置
６  入力装置
３１  測定ディスク
３２  設定ディスク
３３  軸
３４，１３４  コード化構造体；コード化表面
３５  測定点、デジタルコード化構造体
３６  調整要素
３７  蓋空間
３８  穴
３９  コード化表面を有しない領域
４１  光源
４２  光センサー
４’  測定センサー
４”  設定センサー
５１  目盛り
５２〜５５  開口部
５６  表示ライン
６０  表示器
６１  キー
６２  表示パネル
６３  ラッチ要素
【図１】
2010530261.tif 000003
【図２】
2010530261.tif 000004
【図３】
2010530261.tif 000005
【図４】
2010530261.tif 000006
【図５】
2010530261.tif 000007
【図６】
2010530261.tif 000008
【図７】
2010530261.tif 000009
【国際調査報告】
2010530261.tif 000010
2010530261.tif 000011